(57)【要約】【課題】動画像表示プログラムをウィンドウ表示させた場合、ウィンドウに表示された動画像の内容に応じてウィンドウの動作を変更することができる情報処理装置および表示制御方法を提供する。【解決手段】ビデオ再生アプリケーション２０１に表示されたコンテンツに所定のシーンが検出された場合、ＬＣＤ１７に表示された複数のプログラムのウィンドウのうち、ビデオ再生アプリケーション２０１のウィンドウの表示設定の優先順位を変更する。【選択図】      図６
2009177603.tif 000002
【特許請求の範囲】
【請求項１】
映像データの再生を行う第1のプログラムと、前記第1のプログラムとは異なる第２のプログラムとを記憶する記憶手段と、
前記第1のプログラム及び前記第２のプログラムを実行する実行手段と、
前記第1のプログラムが作成するウィンドウ及び前記第２のプログラムが作成するウィンドウを其々表示装置に表示する表示手段と、
前記第1のプログラムが再生する映像で所定のシーンが検出されると、前記表示手段に、前記第1のプログラムのウィンドウを前記第２のプログラムのウィンドウよりも優先して表示させる変更手段と、
を具備することを特徴とする情報処理装置。
【請求項２】
請求項１に記載の情報処理装置において、
前記表示手段は、前記第1のプログラムが再生する映像で所定のシーンが検出されると、前記第1のプログラムのウィンドウよりも前記第２のプログラムのウィンドウを優先して表示することを特徴とする情報処理装置。
【請求項３】
請求項１に記載の情報処理装置において、
前記表示手段は、前記第1のプログラムが再生する映像で所定のシーンが検出されると、前記第1のプログラムのウィンドウの大きさを変更することを特徴とする情報処理装置。
【請求項４】
映像データの再生を行う第1のプログラムと、前記第1のプログラムとは異なる第２のプログラムとを記憶する記憶手段と、
前記第１のプログラム及び前記第２のプログラムを実行する実行手段と、
前記第1のプログラムが作成するウィンドウ及び前記第２のプログラムが作成するウィンドウを其々表示装置に表示する表示手段と、
前記第1のプログラムが再生する映像で所定のシーンが検出されると、前記表示手段に、前記第1のプログラムのウィンドウの大きさを変更させる変更手段と、
を具備することを特徴とする情報処理装置。
【請求項５】
複数のプログラムのウィンドウを表示可能な情報処理装置で用いられる表示制御方法であって、
コンテンツを表示するコンテンツ再生プログラムを含む複数のプログラムを記憶手段に記憶し、
前記記憶手段から前記コンテンツ再生プログラムを含む複数のプログラムを呼び出してそれぞれのプログラムのウィドウを表示し、
前記コンテンツ再生プログラムに表示されたコンテンツに所定のシーンが検出された場合、前記表示手段に表示された複数のプログラムのウィンドウのうち、前記コンテンツ再生プログラムのウィンドウの表示設定の優先順位を変更とすることを特徴とする表示制御方法。
【請求項６】
請求項５に記載の表示制御方法において、
前記コンテンツ再生プログラムのウィンドウの表示設定を所定の設定とする場合、ウィンドウ表示の重なりの優先順位を変更することを特徴とする表示制御方法。
【請求項７】
請求項５に記載の表示制御方法において、
前記コンテンツ再生プログラムのウィンドウの表示設定を所定の設定とする場合、ウィンドウ表示の大きさを変更することを特徴とする表示制御方法。
【発明の詳細な説明】
【技術分野】
【０００１】
本発明は、表示制御技術に係り、特に特定のシーンが検出された場合に表示ウィンドウを制御することが可能な情報処理装置および表示制御方法に関する。
【背景技術】
【０００２】
一般的に、パーソナルコンピュータ等に動画像表示プログラムを表示させた場合、表示された動画像の内容に応じて動作を変更する技術が開示されている。例えば特許文献１に示すように、ウィンドウ表示された動画像の内容がユーザにとっての優先度が高ければ高画質で録画し、ウィンドウ表示された動画像の内容がユーザにとっての優先度が低ければ低画質で録画する技術が開示されている。
【特許文献１】特開２００５−３５４１４８号公報
【発明の開示】
【発明が解決しようとする課題】
【０００３】
しかしながら、特許文献１に記載された技術では、動画像表示プログラムをウィンドウ表示させた場合、ウィンドウに表示された動画像の内容に応じてウィンドウの動作を変更することはできない。
【０００４】
そこで、本発明は、動画像を再生するプログラムをウィンドウ表示させた場合、再生する動画像の内容に応じてウィンドウの動作を変更することができる情報処理装置および表示制御方法を提供することを目的とする。
【課題を解決するための手段】
【０００５】
上述した課題を解決するために、本発明の一態様によれば、映像データの再生を行う第1のプログラムと、前記第1のプログラムとは異なる第２のプログラムとを記憶する記憶手段と、前記第1のプログラム及び前記第２のプログラムを実行する実行手段と、前記第1のプログラムが作成するウィンドウ及び前記第２のプログラムが作成するウィンドウを其々表示装置に表示する表示手段と、前記第1のプログラムが再生する映像で所定のシーンが検出されると、前記表示手段に、前記第1のプログラムのウィンドウを前記第２のプログラムのウィンドウよりも優先して表示させる変更手段と、を具備することを特徴とする情報処理装置が提供される。
【０００６】
また、映像データの再生を行う第1のプログラムと、前記第1のプログラムとは異なる第２のプログラムとを記憶する記憶手段と、前記第１のプログラム及び前記第２のプログラムを実行する実行手段と、前記第1のプログラムが作成するウィンドウ及び前記第２のプログラムが作成するウィンドウを其々表示装置に表示する表示手段と、前記第1のプログラムが再生する映像で所定のシーンが検出されると、前記表示手段に、前記第1のプログラムのウィンドウの大きさを変更させる変更手段と、を具備することを特徴とする情報処理装置が提供される。
【０００７】
さらに、複数のプログラムのウィンドウを表示可能な情報処理装置で用いられる表示制御方法であって、コンテンツを表示するコンテンツ再生プログラムを含む複数のプログラムを記憶手段に記憶し、前記記憶手段から前記コンテンツ再生プログラムを含む複数のプログラムを呼び出してそれぞれのプログラムのウィドウを表示し、前記コンテンツ再生プログラムに表示されたコンテンツに所定のシーンが検出された場合、前記表示手段に表示された複数のプログラムのウィンドウのうち、前記コンテンツ再生プログラムのウィンドウの表示設定の優先順位を変更とすることを特徴とする表示制御方法が提供される。
【発明を実施するための最良の形態】
【０００８】
以下、本発明の実施形態について図面を参照しながら説明する。
【０００９】
以下、図面を参照して、この発明の実施の形態を説明する。
【００１０】
まず、図１および図２を参照して、本発明の一実施形態に係るコンピュータの構成について説明する。この情報処理装置は、例えば、ノートブック型パーソナルコンピュータ１０として実現されている。
【００１１】
図１は、ノートブック型パーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面は、ディスプレイユニット１２のほぼ中央に位置されている。
【００１２】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタン１４、入力操作パネル１５およびタッチパッド１６などが配置されている。
【００１３】
入力操作パネル１５は、押下されたボタンに対応するイベントをシステムに入力する入力装置であり、複数の機能をそれぞれに起動するための複数のボタンを備えている。これらボタン群には、ＴＶ起動ボタン１５Ａ、ＤＶＤ（Digital Versatile Disc）起動ボタン１５Ｂが含まれている。ＴＶ起動ボタン１５Ａは、デジタルＴＶ放送番組のような放送番組データの再生及び記録を行うためのＴＶ機能を起動するためのボタンであり、ユーザによって押下されると、このＴＶ機能を実行するためのＴＶアプリケーションプログラムが起動される。また、ＤＶＤ起動ボタン１５Ｂは、ＤＶＤに記録されたビデオコンテンツを再生するためのボタンであり、ユーザによって押下されると、ビデオコンテンツを再生するためのアプリケーションプログラムが自動的に起動される。
【００１４】
次に、図２を参照して、本コンピュータ１０のシステム構成について説明する。
【００１５】
本コンピュータ１０は、図２に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、デジタルＴＶ放送チューナ１２３、エンベデッドコントローラ／キーボードコントローラＩＣ（ＥＣ／ＫＢＣ）１２４およびネットワークコントローラ１２５等を備えている。
【００１６】
ＣＰＵ１１１は、本コンピュータ１０の動作を制御するために設けられたプロセッサであり、ハードディスクドライブ（ＨＤＤ）１２１から主メモリ１１３にロードされる、オペレーティングシステム（ＯＳ）およびビデオ再生アプリケーション２０１のような各種アプリケーションプログラムを実行する。
【００１７】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００１８】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００１９】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）１１４Ａに書き込まれた画像データからＬＣＤ１７に送出すべき表示信号を生成する。
【００２０】
サウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、デジタルＴＶ放送チューナ１２３を制御する機能、およびＢＩＯＳ−ＲＯＭ１２０をアクセス制御するための機能も有している。
【００２１】
ＨＤＤ１２１は、各種ソフトウェア及びデータを格納する記憶装置である。光ディスクドライブ（ＯＤＤ）１２２は、ビデオコンテンツが格納されたＤＶＤなどの記憶メディアを駆動するためのドライブユニットである。デジタルＴＶ放送チューナ１２３は、デジタルＴＶ放送番組のような放送番組データを外部から受信するための受信装置である。
【００２２】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０を電源オン／オフする機能を有している。さらに、エンベデッドコントローラ／キーボードコントローラＩＣ（ＥＣ／ＫＢＣ）１２４は、ユーザによるＴＶ起動ボタン１５Ａ、ＤＶＤ起動ボタン１５Ｂの操作に応じて、本コンピュータ１０を電源オンすることもできる。ネットワークコントローラ１２５は、例えばインターネットなどの外部ネットワークとの通信を実行する通信装置である。
【００２３】
ビデオ再生アプリケーション２０１は、圧縮符号化された動画像データをデコードおよび再生するためのソフトウェアである。このビデオ再生アプリケーション２０１は、ＭＰＥＧ−２規格や、Ｈ．２６４／ＡＶＣ規格に対応するソフトウェアデコーダである。ビデオ再生アプリケーション２０１は、Ｈ．２６４／ＡＶＣ規格で定義された符号化方式で圧縮符号化されている動画像ストリーム（例えば、デジタルＴＶ放送チューナ１２３によって受信されたデジタルＴＶ放送番組、光ディスクドライブ（ＯＤＤ）１２２から読み出されるＨＤ（High Definition）規格のビデオコンテンツ、など）をデコードするための機能を有している。なお、ビデオ再生アプリケーション２０１は、全画面表示の他、ウィンドウ表示することもできる。
【００２４】
このビデオ再生アプリケーション２０１は、図３に示すように、検出部２１１、制御部２１２を備えている。
【００２５】
検出部２１１は、動画のデコード処理を実行する際に、動画データにＣＭ等の所定のシーンを検出する。制御部２１２は、検出部２１１によって特定のシーンが検出された場合、ビデオ再生アプリケーション２０１のウィンドウの重なりの優先順位（Ｚオーダー）の制御やウィンドウの大きさの制御を行う。制御部２１２からの制御信号は、ＯＳ２００上の表示ドライバ２０２を介してグラフィックスコントローラ１１４に伝えられ、ウィンドウの制御が行われる。
【００２６】
次に、本発明の実施形態に係る情報処理装置を適用した表示制御方法の概要について図４を参照して説明する。
【００２７】
例えば、デジタルＴＶ放送チューナ１２３を介して受信したコンテンツは、デマルチプレクサ３０１により、音声データおよび動画データに振り分けられ、それぞれオーディオデコーダ３０２ａおよびビデオデコーダ３０２ｂでデコードされる。デコードされた音声データおよび動画データは、特定のシーンを検出する検出部２１１ａ、２１１ｂにより、ＣＭ（コマーシャル）、歓声、人物等が検出されると、制御部２１２により、ビデオ再生アプリケーション２０１のウィンドウの制御が行われる。制御が行われたウィンドウに、オーディオレンダラ３０３ａおよびビデオレンダラ３０３ｂから音声データおよび動画データが出力される。
【００２８】
次に、本発明の実施形態に係る情報処理装置を適用した表示制御方法について図５のフローチャートを参照して説明する。
【００２９】
ビデオ再生アプリケーション２０１は、予め設定された特定のシーン、例えばＣＭが表示（検出）されたか否かを判別する（ステップＳ１０１）。ビデオ再生アプリケーション２０１によって、予め設定された特定のシーンが表示（検出）されたと判別されると（ステップＳ１０１のＹＥＳ）、ビデオ再生アプリケーション２０１は、Ｓ１０１で検出されたシーンが視聴優先シーンであるか否かを判別する（ステップＳ１０２）。ビデオ再生アプリケーション２０１によって、視聴優先シーン（例えば、非ＣＭのシーン）であると判別されると（ステップＳ１０２のＹＥＳ）、ビデオ再生アプリケーション２０１を表示しているウィンドウのＺオーダーを最上位に設定して最前面に表示させる（図６から図７の状態とする）。
【００３０】
一方、ビデオ再生アプリケーション２０１によって、視聴優先シーンでないと判別されると（ステップＳ１０２のＮＯ）、ビデオ再生アプリケーション２０１を表示しているウィンドウのＺオーダーを下げて、ウィンドウを１つ後ろの面に表示させる（図７から図６の状態とする）。
【００３１】
ここで、視聴優先シーンとは、例えば、放送されている（または録画された）ＴＶ番組でユーザの所望のシーンである。例えば、ＣＭ以外（番組本編部分）の部分や、ＴＶ番組中で歓声が大きく盛り上がった場面、好みの人物が登場しているシーン等が挙げられる。なお、ステップＳ１０１およびステップＳ１０２の判別を用いて様々なシーンを検出することができる。例えば、「ステップＳ１０１でＣＭが終了したことを検出し、ＴＶの本編が始まると、ステップＳ１０２で、歓声が大きくなった場面を検出する」または、例えば、「ステップＳ１０１でＣＭが始まったことを検出し、ＣＭが始まると、ステップＳ１０２で、好みの人物を検出する」等である。
【００３２】
なお、ＣＭ区間に関しては、録画されたＴＶ番組（追いかけ再生含む）であれば、例えば、以下のようにして検出することができる。日本の放送であれば通常、ＣＭの前後には短い無音区間が挟まれており、またＣＭが１５秒の倍数であることから、この性質を利用して、無音区間と無音区間の間隔の挟まれている間隔が所定時間の倍数である場合はＣＭ区間として検出することができる。ＴＶ番組をライブで視聴している場合は、本編の音声モードがステレオの場合は無音区間の間隔を見る必要があるため、例えば６０秒程度記録し、この記録された６０秒を解析することで、ＣＭ区間か否かを検出することができる。また、ＴＶ番組の本編がステレオ以外の場合には、音声モードの変化によりＣＭ（ステレオ）と本編（モノラル）の切り替わりを検出することもできる。
【００３３】
また、特定の人物の検出は予め登録されている人物の顔画像の特徴量等を予め算出しておき、再生画像に含まれる顔画像の特徴量との比較により検出を実現することができる。歓声の大きさは、デコードした音声の音量を検出すればよい。
【００３４】
さらに、上述した実施形態では、特定のシーンを検出した場合に、ビデオ再生アプリケーション２０１のウィンドウの重なりの優先順位を変更するようにしているが、ウィンドウの大きさ（サイズ）を変更するようにしてもよい。例えば、図８に示すようにビデオ再生アプリケーション２０１のウィンドウがＬＣＤ１７に表示されている場合、特定のシーンを検出し、視聴優先シーンであると判別されると、図９に示すように、ウィンドウ２０１のサイズを大きくし（全画面表示も含む）、ウィンドウ２０１ａとする。一方、視聴優先シーンでないと判別されると、図９に示すように、ウィンドウ２０１ａのサイズを小さくし、ウィンドウ２０１とするようにしてもよい。
【００３５】
なお、本発明は、上述した実施形態そのままに限定されるものではない。本発明は、実施段階では、その要旨を逸脱しない範囲で構成要素を変更して具現化できる。
【００３６】
また、上述した実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００３７】
【図１】本発明の一実施形態に係る情報処理装置の構成例を概略的に示すブロック図。
【図２】本発明の一実施形態に係る情報処理装置の構成を示すブロック図。
【図３】本発明の一実施形態に係る情報処理装置のビデオ再生アプリケーションの機能構成等を示すブロック図。
【図４】本発明の一実施形態に係る情報処理装置の表示制御方法の概要を説明するためのブロック図。
【図５】本発明の一実施形態に係る情報処理装置の表示制御方法を説明するためのフローチャート。
【図６】ウィンドウの優先順位を変更する状態を示した概念図。
【図７】ウィンドウの優先順位を変更する状態を示した概念図。
【図８】ウィンドウの大きさを変更する状態を示した概念図。
【図９】ウィンドウの大きさを変更する状態を示した概念図。
【符号の説明】
【００３８】
１０…コンピュータ、１２…ディスプレイユニット、１４…電源ボタン、１７…ＬＣＤ、１１１…ＣＰＵ、１１３…主メモリ、１１４…グラフィックスコントローラ、１２０…ＢＩＯＳ−ＲＯＭ、１２１…ＨＤＤ、１２３…デジタルＴＶ放送チューナ、１２４…ＥＣ／ＫＢＣ、２０１、２０１ａ…ビデオ再生アプリケーション、２０２…表示ドライバ、２１１、２１１ａ、２１１ｂ…検出部、２１２…制御部、３０１…デマルチプレクサ、３０２ａ…オーディオデコーダ、３０２ｂ…ビデオデコーダ、３０３ａ…オーディオレンダラ、３０３ｂ…ビデオレンダラ
【図１】
2009177603.tif 000003
【図２】
2009177603.tif 000004
【図３】
2009177603.tif 000005
【図４】
2009177603.tif 000006
【図５】
2009177603.tif 000007
【図６】
2009177603.tif 000008
【図７】
2009177603.tif 000009
【図８】
2009177603.tif 000010
【図９】
2009177603.tif 000011
【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
映像データの再生を行う第1のプログラムと、前記第1のプログラムとは異なる第２のプログラムとを記憶する記憶手段と、
前記第1のプログラム及び前記第２のプログラムを実行する実行手段と、
前記第1のプログラムが作成するウィンドウ及び前記第２のプログラムが作成するウィンドウを其々表示装置に表示する表示手段と、
第１のプログラムが再生する映像データのシーン検出を行う、前記第１のプログラムの有する検出手段と、
前記検出手段でのシーン検出結果に応じて、前記第1のプログラムのウィンドウのＺオーダーを前記第２のプログラムのウィンドウのＺオーダーよりも高く設定して前記表示手段にウィンドウを表示させる変更手段と、
を具備することを特徴とする情報処理装置。
【請求項２】
請求項１に記載の情報処理装置において、
前記変更手段は、前記検出手段でのシーン検出結果に応じて、前記第1のプログラムのウィンドウのＺオーダーを前記第２のプログラムのウィンドウのＺオーダーよりも低く設定して前記表示手段に表示させることを特徴とする情報処理装置。
【請求項３】
請求項１に記載の情報処理装置において、
前記変更手段は、前記検出手段でのシーン検出結果に応じて、前記第1のプログラムのウィンドウの大きさを変更することを特徴とする情報処理装置。
【請求項４】
複数のプログラムのウィンドウを表示可能な情報処理装置で用いられる表示制御方法であって、
コンテンツを表示するコンテンツ再生プログラムを含む複数のプログラムを記憶手段に記憶し、
前記記憶手段から前記コンテンツ再生プログラムを含む複数のプログラムを呼び出してそれぞれのプログラムのウィドウを表示手段に表示し、
第１のプログラムが再生する映像データのシーン検出を行い、前記シーン検出の結果に応じて、前記第1のプログラムのウィンドウのＺオーダーを前記第２のプログラムのウィンドウのＺオーダーよりも高く設定して前記表示手段にウィンドウを表示させることを特徴とする表示制御方法。
【請求項５】
請求項４に記載の表示制御方法において、
前記シーン検出の結果に応じて、前記第1のプログラムのウィンドウのＺオーダーを前記第２のプログラムのウィンドウのＺオーダーよりも低く設定して前記表示手段に表示させることを特徴とする表示制御方法。
【請求項６】
請求項４に記載の表示制御方法において、
前記シーン検出の結果に応じて、前記第1のプログラムのウィンドウの大きさを変更することを特徴とする表示制御方法。
【手続補正２】
【補正対象書類名】明細書
【補正対象項目名】０００５
【補正方法】変更
【補正の内容】
【０００５】
上述した課題を解決するために、本発明の一態様によれば、映像データの再生を行う第1のプログラムと、前記第1のプログラムとは異なる第２のプログラムとを記憶する記憶手段と、前記第1のプログラム及び前記第２のプログラムを実行する実行手段と、前記第1のプログラムが作成するウィンドウ及び前記第２のプログラムが作成するウィンドウを其々表示装置に表示する表示手段と、第１のプログラムが再生する映像データのシーン検出を行う、前記第１のプログラムの有する検出手段と、前記検出手段でのシーン検出結果に応じて、前記第1のプログラムのウィンドウのＺオーダーを前記第２のプログラムのウィンドウのＺオーダーよりも高く設定して前記表示手段にウィンドウを表示させる変更手段と、を具備することを特徴とする情報処理装置が提供される。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
また、複数のプログラムのウィンドウを表示可能な情報処理装置で用いられる表示制御方法であって、コンテンツを表示するコンテンツ再生プログラムを含む複数のプログラムを記憶手段に記憶し、前記記憶手段から前記コンテンツ再生プログラムを含む複数のプログラムを呼び出してそれぞれのプログラムのウィドウを表示手段に表示し、第１のプログラムが再生する映像データのシーン検出を行い、前記シーン検出の結果に応じて、前記第1のプログラムのウィンドウのＺオーダーを前記第２のプログラムのウィンドウのＺオーダーよりも高く設定して前記表示手段にウィンドウを表示させることを特徴とする表示制御方法が提供される。